【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
画像処理装置であって、
着目画素にかかる複数の入力値の各々に、該着目画素の周辺画素から拡散された誤差値を加算した補正値を算出する補正値算出手段と、
前記補正値算出手段で算出したすべての補正値の合計値を算出する合計値算出手段と、
前記合計値算出手段で算出した合計値を量子化する量子化手段と、
前記補正値算出手段で算出した各々の補正値と前記合計値算出手段で算出した合計値との比率に応じて、前記量子化手段で量子化した量子化値を分配することにより、前記複数の入力値に対応する複数の出力値を算出する分配手段と、
前記分配手段で算出した複数の出力値と前記補正値算出手段で算出した複数の補正値との差分値を、前記着目画素以降の画素位置に拡散する誤差値として算出する誤差値算出手段と
を備えることを特徴とする画像処理装置。
【請求項２】
前記複数の入力値及び前記複数の出力値は、前記着目画素にかかる異なる色成分毎の画素値であることを特徴とする請求項１に記載の画像処理装置。
【請求項３】
前記複数の入力値及び前記複数の出力値は、前記着目画素に対して複数回の記録走査で画像形成処理を行うための画素値であることを特徴とする請求項１に記載の画像処理装置。
【請求項４】
画像処理装置における画像処理方法であって、
前記画像処理装置が備える補正値算出手段が、着目画素にかかる複数の入力値の各々に、該着目画素の周辺画素から拡散された誤差値を加算した補正値を算出する補正値算出工程と、
前記画像処理装置が備える合計値算出手段が、前記補正値算出工程で算出したすべての補正値の合計値を算出する合計値算出工程と、
前記画像処理装置が備える量子化手段が、前記合計値算出工程で算出した合計値を量子化する量子化工程と、
前記画像処理装置が備える分配手段が、前記補正値算出工程で算出した各々の補正値と前記合計値算出工程で算出した合計値との比率に応じて、前記量子化工程で量子化した量子化値を分配することにより、前記複数の入力値に対応する複数の出力値を算出する分配工程と、
誤差値算出手段が、前記分配工程で算出した複数の出力値と前記補正値算出工程で算出した複数の補正値との差分値を、前記着目画素以降の画素位置に拡散する誤差値として算出する誤差値算出工程と
を有することを画像処理方法。
【請求項５】
コンピュータに、請求項４に記載の方法の各工程を実行させるためのプログラム。
【請求項６】
各色成分値がＮ階調で表される入力画像データを、各色成分値が前記Ｎより少ないＭ階調に量子化すると共に、量子化した際に発生した各色成分の誤差値を未量子化画素位置に分配する画像処理装置であって、
着目画素データを構成する各色成分値に、当該着目画素位置の各色成分に対して分配された量子化誤差を加算することで、前記着目画素の各色成分値を補正する補正手段と、
前記補正手段で補正後の前記着目画素における、独立して量子化する対象として設定された各色成分を独立して前記Ｍ階調に量子化する第１の量子化手段と、
前記補正手段で補正後の前記着目画素における、相関して量子化する対象として設定された２以上の色成分の当該色成分値の和を算出し、算出した和を、相関量子化対象として設定された各色成分の数と前記階調数Ｍに依存して定まる階調数に量子化する第２の量子化手段と、
前記第２の量子化手段による量子化結果が示す値を、前記相関量子化対象として設定された各色成分値の比率に従って、前記相関量子化対象として設定された各色成分値の量子化後の値として配分する配分手段と、
前記第１の量子化手段による前記独立量子化対象として設定された各色成分の量子化値、及び前記配分手段で配分された各色成分の量子化値と、それらの量子化前の値との差分を、前記着目画素における各色成分の量子化誤差として未量子化画素位置に分配する分配手段と、
を備えることを特徴とする画像処理装置。
【請求項７】
前記分配手段は、前記補正手段による補正値の和に対する各画素毎の量子化値、又は前記補正値の割合を算出可能である複数の値を高次関数又は三角関数に代入することにより、前記量子化値を分配することを特徴とする請求項６に記載の画像処理装置。
【請求項８】
前記入力画像データの少なくとも一部領域を量子化することを特徴とする請求項６に記載の画像処理装置。
【請求項９】
予め定めた信号強度を閾値として前記入力画像データの量子化処理を行うか否かを切り替えることを特徴とする請求項６に記載の画像処理装置。
【請求項１０】
各色成分値がＮ階調で表される入力画像データを、各色成分値が前記Ｎより少ないＭ階調に量子化すると共に、量子化した際に発生した各色成分の誤差値を未量子化画素位置に分配する画像処理装置における画像処理方法であって、
補正手段が、着目画素データを構成する各色成分値に、当該着目画素位置の各色成分に対して分配された量子化誤差を加算することで、前記着目画素の各色成分値を補正する補正工程と、
第１の量子化手段が、前記補正工程で補正後の前記着目画素における、独立して量子化する対象として設定された各色成分を独立して前記Ｍ階調に量子化する第１の量子化工程と、
第２の量子化手段が、前記補正工程で補正後の前記着目画素における、相関して量子化する対象として設定された２以上の色成分の当該色成分値の和を算出し、算出した和を、相関量子化対象として設定された各色成分の数と前記階調数Ｍに依存して定まる階調数に量子化する第２の量子化工程と、
配分手段が、前記第２の量子化工程による量子化結果が示す値を、前記相関量子化対象として設定された各色成分値の比率に従って、前記相関量子化対象として設定された各色成分値の量子化後の値として配分する配分工程と、
分配手段が、前記第１の量子化工程による前記独立量子化対象として設定された各色成分の量子化値、及び前記配分工程で配分された各色成分の量子化値と、それらの量子化前の値との差分を、前記着目画素における各色成分の量子化誤差として未量子化画素位置に分配する分配工程と、
を備えることを特徴とする画像処理方法。
【請求項１１】
コンピュータに、請求項１０に記載の方法の各工程を実行させるためのプログラム。
【請求項１２】
請求項５又は１１に記載のプログラムを格納したことを特徴とするコンピュータ可読記憶媒体。
【手続補正２】
【補正対象書類名】明細書
【補正対象項目名】発明の名称
【補正方法】変更
【補正の内容】
【発明の名称】画像処理装置及び方法
【手続補正３】
【補正対象書類名】明細書
【補正対象項目名】００１１
【補正方法】変更
【補正の内容】
【００１１】
上記課題を解決するため、本発明に係る画像処理装置は、着目画素にかかる複数の入力値の各々に、該着目画素の周辺画素から拡散された誤差値を加算した補正値を算出する補正値算出手段と、前記補正値算出手段で算出したすべての補正値の合計値を算出する合計値算出手段と、前記合計値算出手段で算出した合計値を量子化する量子化手段と、前記補正値算出手段で算出した各々の補正値と前記合計値算出手段で算出した合計値との比率に応じて、前記量子化手段で量子化した量子化値を分配することにより、前記複数の入力値に対応する複数の出力値を算出する分配手段と、前記分配手段で算出した複数の出力値と前記補正値算出手段で算出した複数の補正値との差分値を、前記着目画素以降の画素位置に拡散する誤差値として算出する誤差値算出手段とを備える。